(57)【要約】【課題】多群構成のズームレンズのフランジバックを容易に調整でき、かつ、その調整時に、他の構成部分に影響を与えないレンズ鏡筒等を提供する。【解決手段】被調整レンズ群Ｌ２と、被調整レンズ群Ｌ２の外縁部に固定されたレンズ枠２０と、レンズ枠２０が対物側から装着され、撮影用レンズ群の光軸Ｉ方向に沿って移動する可動レンズ室２３と、レンズ枠２０と可動レンズ室２３とが光軸Ｉ方向に沿って対向する面間に挟まれて配置された調整部材２７とを備えるレンズ鏡筒１において、可動レンズ室２３は、焦点距離の変化に応じて移動する範囲であるズーム範囲Ｚ３と、ズーム範囲Ｚ３と離間して設けられ、レンズ枠２０の可動レンズ室２３への固定に用いられるレンズ枠固定位置Ｐ２との間を移動するものであり、可動レンズ室２３がレンズ枠固定位置Ｐ２にあるときに、可動レンズ室２３の光軸に沿った方向の移動を制限する移動制限部２４を備える構成とする。【選択図】図１
2006126366.tif 000002
【特許請求の範囲】
【請求項１】
撮影用レンズ群の一部を構成する被調整レンズ群と、
前記被調整レンズ群の外縁部に固定されたレンズ枠と、
前記レンズ枠が光軸に沿った方向の対物側から装着され、前記撮影用レンズ群の光軸方向に沿って移動する可動レンズ室と、
前記レンズ枠と前記可動レンズ室とが光軸方向に沿って対向する面間に挟まれて配置された調整部材と
を備えるレンズ鏡筒において、
前記可動レンズ室は、前記光軸方向において、前記撮影用レンズ群の焦点距離の変化に応じて移動する範囲であるズーム範囲と、前記ズーム範囲と離間して設けられ、前記レンズ枠の前記可動レンズ室への固定に用いられるレンズ枠固定位置との間を移動するものであり、
前記可動レンズ室が前記レンズ枠固定位置にあるときに、前記可動レンズ室の前記光軸に沿った方向の移動を制限する移動制限部を備えること
を特徴とするレンズ鏡筒。
【請求項２】
請求項１に記載のレンズ鏡筒において、
前記可動レンズ室を、前記移動制限部に対して、前記光軸に沿って離間する方向に付勢する付勢部を備えること
を特徴とするレンズ鏡筒。
【請求項３】
請求項１又は請求項２に記載のレンズ鏡筒において、
前記可動レンズ室をその内径側に収容し、前記付勢部の伸縮に応じて、この可動レンズ室に対して前記光軸に沿った方向に相対移動する可動レンズ室保持筒と、
前記可動レンズ室保持筒の外径側に設けられ、その内周面に沿ってカム溝が形成されたカム筒と、
その両端部が前記可動レンズ室保持筒の外径側及び内径側にそれぞれ突き出してこの可動レンズ室保持筒に固定され、外径側の端部を前記カム溝内に挿入されたカムフォロワ部とを備え、
前記移動制限部は、前記カムフォロワ部の前記可動レンズ室保持筒の内径側の端部であること
を特徴とするレンズ鏡筒。
【請求項４】
請求項１又は請求項２に記載のレンズ鏡筒において、
前記被調整レンズ群の対物側に設けられた対物側レンズ群を保持し、前記光軸に沿った方向において、前記可動レンズ室に対して相対移動する筒状の対物側レンズ保持筒と、
前記対物側レンズ保持筒の外径側に設けられ、その内周面に沿ってカム溝が形成されたカム筒と、
その両端部が前記対物側レンズ保持筒の外径側及び内径側にそれぞれ突き出してこの対物側レンズ保持筒に固定され、外径側の端部を前記カム溝内に挿入されたカムフォロワ部とを備え、
前記移動制限部は、前記カムフォロワ部の前記可動レンズ室保持筒の内径側の端部であること
を特徴とするレンズ鏡筒。
【請求項５】
請求項３又は請求項４に記載のレンズ鏡筒において、
前記カム溝は、
前記カム筒の前記光軸回りにおける前記カムフォロワ部に対する回転に応じて、このカムフォロワ部とカム筒とを光軸方向に沿って相対移動させる常用領域と、
前記常用領域から離れて設けられ、前記カムフォロワ部が前記光軸方向に沿って像側に押圧された場合に前記カム筒の回転を防止するレンズ枠固定領域とを、その延在方向に沿って分布させたこと
を特徴とするレンズ鏡筒
【請求項６】
請求項２に記載のレンズ鏡筒において、
前記可動レンズ室をその内径側に収容し、前記付勢部の伸縮に応じてこの可動レンズ室に対して前記光軸に沿った方向に相対移動する可動レンズ室保持筒を備え、
前記移動制限部は、前記可動レンズ室保持筒の内周面と、前記可動レンズ室の外周面との少なくとも一方に形成され、その前記光軸に沿った方向の像側の径を対物側よりも小さく形成したテーパ面部であること
を特徴とするレンズ鏡筒。
【請求項７】
請求項１又は請求項２に記載のレンズ鏡筒において、
前記移動制限部は、前記被調整レンズ群に対向して配置される他のレンズ群に固定されていること
を特徴とするレンズ鏡筒。
【請求項８】
請求項１から請求項７までのいずれか１項に記載のレンズ鏡筒を備えるカメラ。
【発明の詳細な説明】
【技術分野】
【０００１】
本発明は、多群構成のズームレンズを構成する各レンズ群のフランジバックを、それぞれ調整するレンズ鏡筒、及び、このようなレンズ鏡筒を備えるカメラに関するものである。
【背景技術】
【０００２】
カメラの撮影用レンズ群は、これを構成する各レンズの光学特性のばらつきや、寸法誤差に起因する焦点位置のずれを修正するため、その製造時等に、各レンズ群の光軸方向に沿った位置を微調整することによって、フランジバックの調整を行っている。
【０００３】
このようなフランジバックを調整する方法として、例えばレンズ交換式カメラのレンズ鏡筒の場合は、そのマウント部に、適当な厚みのスペーサ（シム）を選択して配置することが知られている。
また、レンズ鏡筒のズーム時に、それぞれ異なった動きをする複数のレンズ群を有するいわゆる多群構成のズームレンズの場合は、レンズ群毎に、例えばレンズ群を保持するレンズ枠の固定部に、調整用のスペーサを配置してフランジバックの調整を行っている。
【０００４】
上述したような多群構成のズームレンズにおいて、フランジバックを調整するため、所定のレンズ群の位置を微調整する場合、作業時にレンズ室を光軸に沿った方向に押圧する力が加わる場合があり、例えばシャッターユニット等の他の構成部材との衝突を防止するため、調整対象となるレンズ群を収容するレンズ室の移動を制限する何らかの移動制限手段が必要となる場合がある。特に、レンズ鏡筒内の奥まった位置に配置される第２群以降のレンズ群においては、レンズ群が挿入固定されるレンズ室等の被固定部を、外部から把持することができないため、このような移動制限手段を設けることが重要である。
従来、レンズ群の外径側に備えられ、その周壁に沿ってカム溝が形成されたカム筒と、レンズ室に接続され、一端部をカム溝内に挿入されるカムフォロワとを含むカム機構によってレンズ室を光軸方向に駆動するレンズ鏡筒において、カム溝に変倍用溝部とフランジバック調整用溝部とを交互に設け、カムフォロワの端部がフランジバック調整用溝部内にあるときに、レンズ鏡筒内に組み込まれた回転鏡筒を回転させて、フランジバックの調整を行うことが知られている（例えば、特許文献１）。
【０００５】
しかし、上述した構成の場合、フランジバックを調整する際に、カム溝のうち、カムフォロワが変倍時に通過する部分の溝壁に押し付けられ、通常使用では発生しない過大な負荷が加わるから、その部分のカム溝の精度が悪化するおそれがある。
【特許文献１】特開平１１−６４７０７号公報
【発明の開示】
【発明が解決しようとする課題】
【０００６】
本発明の課題は、多群構成のズームレンズを構成する各レンズ群のフランジバックを容易に調整でき、かつ、その調整時に、他の構成部分に影響を与えないレンズ鏡筒、及び、このようなレンズ鏡筒を備えたカメラを提供することである。
【課題を解決するための手段】
【０００７】
本発明は、以下のような解決手段により、前記課題を解決する。なお、理解を容易にするために、本発明の実施例に対応する符号を付して説明するが、本発明はこれに限定されるものではない。
【０００８】
請求項１の発明は、撮影用レンズ群の一部を構成する被調整レンズ群（Ｌ２）と、前記被調整レンズ群（Ｌ２）の外縁部に固定されたレンズ枠（２０）と、前記レンズ枠が光軸（Ｉ）に沿った方向の対物側から装着され、前記撮影用レンズ群の光軸（Ｉ）方向に沿って移動する可動レンズ室（２３）と、前記レンズ枠（２０）と前記可動レンズ室（２３）とが光軸方向に沿って対向する面間に挟まれて配置された調整部材（２７）とを備えるレンズ鏡筒（１）において、前記可動レンズ室（２３）は、前記光軸（Ｉ）方向において、前記撮影用レンズ群の焦点距離の変化に応じて移動する範囲であるズーム範囲（Ｚ３）と、前記ズーム範囲（Ｚ３）と離間して設けられ、前記レンズ枠（２０）の前記可動レンズ室（２３）への固定に用いられるレンズ枠固定位置（Ｐ２）との間を移動するものであり、前記可動レンズ室（２３）が前記レンズ枠固定位置（Ｐ２）にあるときに、前記可動レンズ室（２３）の前記光軸（Ｉ）方向に沿った方向の移動を制限する移動制限部（２４，１２）を備えることを特徴とするレンズ鏡筒（１）である。
【０００９】
請求項２の発明は、請求項１に記載のレンズ鏡筒（１）において、前記可動レンズ室（２３）を、前記移動制限部（２４，１２）に対して、前記光軸（Ｉ）に沿って離間する方向に付勢する付勢部（２５）を備えることを特徴とするレンズ鏡筒（１）である。
請求項３の発明は、請求項１又は請求項２に記載のレンズ鏡筒（１）において、前記可動レンズ室（２３）をその内径側に収容し、前記付勢部（２５）の伸縮に応じて、この可動レンズ室（２３）に対して前記光軸（Ｉ）に沿った方向に相対移動する可動レンズ室保持筒（２２）と、前記可動レンズ室保持筒（２２）の外径側に設けられ、その内周面に沿ってカム溝（３ａ，３ｂ）が形成されたカム筒（３）と、その両端部が前記可動レンズ室保持筒（２２）の外径側及び内径側にそれぞれ突き出してこの可動レンズ室保持筒（２２）に固定され、外径側の端部を前記カム溝（３ｂ）内に挿入されたカムフォロワ部（２４）とを備え、前記移動制限部は、前記カムフォロワ部（２４）の前記可動レンズ室保持筒（２２）の内径側の端部であることを特徴とするレンズ鏡筒（１）である。
請求項４の発明は、請求項１又は請求項２に記載のレンズ鏡筒（１）において、前記被調整レンズ群（Ｌ２）の対物側に設けられた対物側レンズ群（Ｌ１）を保持し、前記光軸（Ｉ）に沿った方向において、前記可動レンズ室（２３）に対して相対移動する筒状の対物側レンズ保持筒（１１）と、前記対物側レンズ保持筒（１１）の外径側に設けられ、その内周面に沿ってカム溝（３ａ）が形成されたカム筒（３）と、その両端部が前記対物側レンズ保持筒（１１）の外径側及び内径側にそれぞれ突き出してこの対物側レンズ保持筒（１１）に固定され、外径側の端部を前記カム溝（３ａ）内に挿入されたカムフォロワ部（１２）とを備え、前記移動制限部は、前記カムフォロワ部（１２）の前記可動レンズ室保持筒（１１）の内径側の端部であることを特徴とするレンズ鏡筒（１）である。
請求項５の発明は、請求項３又は請求項４に記載のレンズ鏡筒（１）において、前記カム溝（３ｂ）は、前記カム筒（３）の前記光軸（Ｉ）回りにおける前記カムフォロワ部（２４）に対する回転に応じて、このカムフォロワ部（２４）とカム筒（３）とを光軸方向に沿って相対移動させる常用領域（Ｚ２）と、前記常用領域（Ｚ２）から離れて設けられ、前記カムフォロワ部（２４）が前記光軸（Ｉ）方向に沿って像側に押圧された場合に前記カム筒（３）の回転を防止するレンズ枠固定領域（Ｐ１）とを、その延在方向に沿って分布させたことを特徴とするレンズ鏡筒（１）である。
請求項６の発明は、請求項２に記載のレンズ鏡筒（１）において、前記可動レンズ室（２３）をその内径側に収容し、前記付勢部（２５）の伸縮に応じてこの可動レンズ室（２３）に対して前記光軸（Ｉ）に沿った方向に相対移動する可動レンズ室保持筒（２２）を備え、前記移動制限部は、前記レンズ枠保持筒（２２）の内周面と、前記可動レンズ室（２３）の外周面との少なくとも一方に形成され、その前記光軸（Ｉ）に沿った方向の像側の径を対物側よりも小さく形成したテーパ面部（２１ａ，２２ａ）であることを特徴とするレンズ鏡筒（１）である。
請求項７の発明は、請求項１又は請求項２に記載のレンズ鏡筒（１）において、前記移動制限部は、前記被調整レンズ群（Ｌ２）に対向して配置される他のレンズ群（Ｌ３）に固定されていることを特徴とするレンズ鏡筒（１）である。
請求項８の発明は、請求項１から請求項７までのいずれか１項に記載のレンズ鏡筒（１）を備えるカメラである。
【発明の効果】
【００１０】
本発明によれば、可動レンズ室は、その使用時に常用されるズーム範囲から離間したレンズ枠固定位置にあるときに、レンズ枠の固定が行われるから、その作業時に加わる負荷によってズームを行う機構に影響が生ずることを防止できる。また、可動レンズ室がレンズ枠固定位置にあるときに、その光軸方向に沿った移動を制限する移動制限部を備えているから、可動レンズ室が光軸方向に拘束された状態で作業を行うことができ、作業性が向上するとともに、他の構成部分への衝突を防止することができる。
さらに、カム溝は、常用領域から離れて設けられたレンズ枠固定領域を有し、このレンズ枠固定領域にカムフォロワ部が挿入された状態でレンズ枠の固定を行うから、カム溝の通常のズーム動作に用いる部分が押圧されてダメージを受けることが防止される。
【発明を実施するための最良の形態】
【００１１】
本発明は、第２レンズ群を保持する第２レンズ枠と、この第２レンズ枠を保持する第２レンズ室との間に調整ワッシャを挟んで固定する際に、第２レンズ室が通常のズーム範囲から離れた位置で第２群フォロワピンに接し、その光軸に沿った方向に移動が制限されるようにしたレンズ鏡筒によって、上述した課題を解決する。
【実施例１】
【００１２】
以下、図面等を参照して、本発明の実施例をあげて、さらに詳しく説明する。
図１は、本発明を適用したレンズ鏡筒の実施例１の断面図であって、沈胴時（収納時）の状態を示す図である。図２は、このレンズ鏡筒の断面図であって、使用時の状態を示す図である。
このレンズ鏡筒１は、例えばレンズ固定式のデジタルスチルカメラのレンズ鏡筒であって、その収納時には、レンズ鏡筒を短縮してボディの筐体内に収容し、撮影時には、レンズ鏡筒を伸長し、ボディから突き出して使用するいわゆる沈胴式のレンズ鏡筒となっている。
【００１３】
レンズ鏡筒１は、外筒２と、カム筒３と、直進筒４と、固定板５と、シャッタ部６と、光軸I方向に沿って対物側から順に配列された第１レンズ群Ｌ１、第２レンズ群Ｌ２、第３レンズ群Ｌ３、第４レンズ群Ｌ４を備えている。このレンズ鏡筒１は、焦点距離を変化させるズーム動作は、全てのレンズ群を駆動して行い、被写体距離を変化させるフォーカシングは、第４レンズ群Ｌ４のみを駆動して行うようになっている。
【００１４】
第１レンズ群Ｌ１は、第１レンズ枠１０と、第１レンズ室１１と、第１群フォロワピン１２と、調整ワッシャ１３とを備えている。
第２レンズ群Ｌ２は、第２レンズ枠２０と、摺動筒２１と、摺動筒保持筒２２と、第２レンズ室２３と、第２群フォロワピン２４と、スプリング２５と、ロックリング２６と、調整ワッシャ２７とを備えている。
第３レンズ群Ｌ３は、上述した直進筒４に固定されている。
第４レンズ群Ｌ４は、第４レンズ枠４０を備えている。
【００１５】
外筒２は、レンズ鏡筒１の最外周側に配置された固定筒であって、レンズ鏡筒１の光軸Ｉと略同心に配置され、円筒状に形成されている。また、外筒２の対物側の端部は、固定板５に固定されている。
カム筒３は、外筒２の内径側に略同心に配置された円筒状の部材であって、外筒２の内径側と、カム筒３の外径側に形成されたヘリコイドによって、光軸Ｉに沿った方向に線形に移動するものである。
図３は、カム筒３の内周面の展開図である。図３において、横方向は、カム筒３の周方向に対応し、縦方向は、光軸Ｉに沿った方向に対応している。
【００１６】
カム筒３は、その内周面部に、第１群フォロワピン１２及び第２群フォロワピン２２の一部がそれぞれ挿入され、摺動するカム溝３ａ，３ｂがそれぞれ形成されている。
カム溝３ａ、３ｂは、それぞれカム筒３の周方向の位相に応じて、光軸Ｉに沿った方向における位置が変化するように形成され、これによって、カム筒３の自転によって、第１群フォロワピン１２及び第２群フォロワピン２２が、それぞれ光軸Ｉに沿った方向において、カム筒３に対して移動するようになっている。このカム溝３ａ，３ｂは、それぞれ例えば約１２０°ずつ光軸Ｉ回りにおける位相をずらして、それぞれ３本ずつ等間隔に設けられている。
【００１７】
カム溝３ａは、その一端部がカム筒３の対物側の端部に開口し、他端部は行き止まりとなっている。カム溝３ａは、その中間に設けられた一定の範囲が、レンズ鏡筒１の通常のズーム動作に用いられる範囲であるズーム域Ｚ１となっている。
【００１８】
カム溝３ｂは、その一端部がカム筒３の像側の端部３ｃに開口し、他端部は行き止まりとなっている。カム溝３ｂは、その中間に設けられた一定の範囲が、レンズ鏡筒１の通常のズームに用いられる範囲であるズーム域Ｚ２となっている。また、ズーム域Ｚ２から離間し、ズーム域カム溝３ｂの行き止まりとなっている側の端部は、後述するフランジバックの調整時に用いられるフランジバック調整用位置Ｐ１となっている。
【００１９】
ズーム域Ｚ２においては、カム筒３の周方向における位相に応じて、カム溝３ｂの光軸方向における位置は連続的に変化しており、カム溝３ｂの開口側の端から離れるにつれて、カム筒３の端部３ｃからの光軸方向に沿った距離が徐々に大きくなっており、第２群フォロワピン２４を光軸Ｉに沿って対物側に繰り出すようになっている。
また、ズーム域Ｚ２において、カム溝３ｂの端部３ｃからの光軸方向に沿った距離が最も大きくなる終端部よりも、さらにカム溝３ｂの行き止まり側に近づいた領域では、カム溝３ｂはその延在方向を変え、フランジバック調整用位置Ｐ１に近づくにつれて、徐々にカム筒３の端部３ｃに近づく。
そして、フランジバック調整用位置Ｐ１においては、カム溝３ｂは、カム筒３の周方向に沿った方向に延在し、カム筒３の端部３ｃに対して略平行となっている。
【００２０】
直進筒４は、カム筒３の内径側に、これを略同心に配置された円筒状の部材であって、第１レンズ群Ｌ１、及び、第２レンズ群Ｌ２の光軸Ｉ方向に沿った直進運動を案内するものである。また、直進筒４は、第３レンズ群Ｌ３を保持するレンズ枠部を備えている。この直進筒４は、カム筒３にバヨネット結合され、上述したヘリコイドによって線形に移動する。
固定板５は、レンズ鏡筒１の対物側の端部に設けられ、その光軸Ｉと略同心の円板状に形成され、図示しないカメラボディに固定され、レンズ鏡筒１の基部となるものである。固定板５は、外筒２の対物側の端部を塞いで設けられ、その中央部に、撮像素子部１００が備えられている。
シャッタ部６は、いわゆるレンズシャッタを備え、そのシャッタ幕は、第２レンズ群Ｌ２と、第３レンズ群Ｌ３との間に配置されている。このシャッタ部６は、直進筒４の第３レンズ群Ｌ３を保持するレンズ枠部に、ビス６ａによって固定されている。
【００２１】
第１レンズ枠１０は、円環状に形成され、第１レンズ群Ｌ１の外周縁部に沿って設けられている。第１レンズ枠１０の外周面は、第１レンズ室１１にネジ結合されるネジ部が形成されている。また、第１レンズ枠１０の光軸Ｉに沿った方向における像側の面部は、後述する調整ワッシャ１３と接する平面部が形成されている。
【００２２】
第１レンズ室１１は、光軸Ｉと略同心に配置された円筒状に形成され、その外周面をカム筒３の内周面に対向し、かつ、その内周面を直進筒４の外周面に対向して配置されている。
第１レンズ室１１は、その対物側の先端部の内径側に、第１レンズ枠１０を収容する。第１レンズ室１１は、内周面に第１レンズ枠１０のネジ部とネジ結合されるネジ部が形成され、また、第１レンズ枠１０の上述した平面部と対向し、略平行に形成された平面部が形成されている。
【００２３】
第１群フォロワピン１２は、第１レンズ室１１の側面に、その長手方向を径方向に沿って配置された円柱状の部材であり、第１レンズ室１１の外径側と内径側とに、その両端部をそれぞれ突き出した状態で、第１レンズ室１１に固定されている。
第１群フォロワピン１２の、第１レンズ群１１の外径側の端部は、カム筒３のカム溝３ａ内に挿入され、内径側の端部は、直進筒４の外周面に形成され、光軸Ｉに沿った方向に延在する溝部に挿入されている。上述した構成によって、第１群フォロワピン１２は、カム筒３の光軸Ｉ回りの自転に伴って、光軸Ｉに沿った方向に直動するようになっている。
【００２４】
調整ワッシャ１３は、リングプレート状に形成され、上述した第１レンズ枠１０の平面部と、第１レンズ室１１の平面部とに挟まれて保持され、第１レンズ室１１に対する第１レンズ枠１０の光軸Ｉに沿った位置を微調整するスペーサとして機能する。この調整ワッシャ１３は、レンズ鏡筒１の製造時、調整時等に、厚さの異なったものが複数種類用意され、この厚さを選択することによって、第１レンズ群Ｌ１におけるフランジバックの調整を行うものである。
【００２５】
第２レンズ枠２０は、円環状に形成され、第２レンズ群Ｌ２の外周縁部に沿って設けられている。第２レンズ枠２０の外周面には、外径側につば状に張り出したフランジ部が形成されている。光軸Ｉに沿った方向におけるフランジ部の両面はそれぞれ光軸Ｉに対して略垂直な平面状に形成されている。
【００２６】
摺動筒２１は、光軸Ｉと略同心の円筒状に形成され、その対物側の端部に上述した第２レンズ枠２０を保持するものである。
摺動筒保持筒２２は、光軸Ｉと略同心の円筒状に形成され、その内周面は摺動筒２１の外周面と対向し、かつ、その外周面は直進筒４の内周面と対向して配置されている。摺動筒保持筒２２は、摺動筒２１を、光軸Ｉに沿った方向に、摺動筒保持筒２２に対して相対移動可能に保持するものである。
【００２７】
第２レンズ室２３は、摺動筒２１の対物側の端部に設けられ、第２レンズ枠２０を収容し、保持するものである。第２レンズ室２３は、その内径側に第２レンズ枠２０のフランジ部の最大径部を収容するネジ部が形成され、また、このフランジ部の光軸Ｉ方向像側の面と対向する平面部が形成されている。
【００２８】
第２群フォロワピン２４は、摺動筒保持筒２２の側面に、その長手方向を径方向に沿って配置された円柱状の部材であり、摺動筒保持筒２２の外径側と内径側とに、その両端部をそれぞれ突き出した状態で、摺動筒保持筒２２に固定されている。
第２群フォロワピン２４の、摺動筒保持筒２２の外径側の端部は、直進筒４の側壁に、その軸方向に沿って形成された長穴状のガイド溝に挿通され、カム筒３のカム溝３ｂ内に挿入されている。
【００２９】
スプリング２５は、光軸Ｉに対して略同心に配置されたコイルスプリングであって、その一端部は、第２レンズ室２３の光軸Ｉに沿った方向における像側の面部に接し、他端部は、シャッタ部６の外周縁部に接している。スプリング２５は、摺動筒２１と、シャッタ部６とが離間する方向に付勢しており、レンズ鏡筒１の使用時には、この付勢力によって、摺動筒２１が摺動筒保持筒２２に対して対物側に繰り出されるようになっている。
【００３０】
ロックリング２６は、円環上に形成され、その外周面に第２レンズ室２３のネジ部とネジ結合されるネジ部が形成され、その軸方向に沿った一方の端面に、調整ワッシャ２７を介して第２レンズ室２３の平面部と対向する平面部が形成されている。
調整ワッシャ２７は、第２レンズ室２３の平面部と、ロックリング２６の平面部との間に、第２レンズ枠２０のフランジ部とともに挟まれるリングプレート状の部材であって、第２レンズ室２３に対する、第２レンズ枠２０の光軸Ｉに沿った位置を微調整するスペーサとして機能する。この調整ワッシャ２７は、レンズ鏡筒１の製造時、調整時等に、厚さの異なったものが複数種類用意され、この厚さを選択することによって、第２レンズ群Ｌ２におけるフランジバックの調整を行うものである。
【００３１】
第３レンズ群Ｌ３は、上述したように、直進筒４のレンズ枠部に固定され、保持されている。
第４レンズ群Ｌ４は、その外周縁部に設けられた円環上の第４レンズ枠４０によって支持され、この第４レンズ枠４０は、図示しないステッピングモータに接続され、光軸Ｉに沿った方向に駆動される。
【００３２】
撮像素子部１００は、固定板５に固定され、第４レンズ群Ｌ４に対向して配置され、撮影用レンズ群によって結像された被写体像を取得するものである。この撮像素子部１００は、例えばＣＣＤやＣＭＯＳ等の光−電気変換素子と、その前面側に配置された光学ローパスフィルタとを備えている。
【００３３】
次に、上述したレンズ鏡筒１におけるフランジバックの調整方法について説明する。
レンズ鏡筒１のフランジバックの調整は、まず、第１レンズ群Ｌ１及び第２レンズ群Ｌ２を、同じ移動量だけ光軸Ｉに沿った方向に変位させ、さらに、第４レンズ群Ｌ４をステッピングモータによって変位させ、最終的に残存する調整必要量を、レンズ鏡筒Ｌ１を全体的に変位させることによって行う。
【００３４】
図４は、レンズ鏡筒１のフランジバック調整方法を示す図であって、第１レンズ群Ｌ１及び第２レンズ群Ｌ２を取り付ける前の状態を示す図である。
第１レンズ枠１０は、第１レンズ室１１から分離されており、また、第２レンズ枠２０及びロックリング２６は、第２レンズ室２３から分離されている。
予め決定されたフランジバックの調整量に基づいて、調整ワッシャ１３及び調整ワッシャ２７は、必要な厚さを有するものが選択され、それぞれ第１レンズ室１１及び第２レンズ室２３に、これらの平面部に沿って配置されている。
【００３５】
図５は、レンズ鏡筒１のフランジバック調整方法を示す図であって、第２レンズ群Ｌ２を取り付けた状態を示す図である。
第２レンズ群Ｌ１を保持する第２レンズ枠２０は、そのフランジ部の光軸Ｉに沿った方向における像側の面部と、調整ワッシャ２７とが、その周方向にわたって均一に接するように、第２レンズ室２３の内径側に挿入される。そして、ロックリング２６を、その外径側に形成されたネジ部が、第２レンズ室２３の内径側に形成されたネジ部と螺合するように挿入し、締結する。このとき、第２群フォロワピン２４の摺動筒保持筒２２の外径側の端部は、カム筒３のカム溝３ｂのフランジバック調整用位置Ｐ１内に配置される。
【００３６】
図６は、レンズ鏡筒１のフランジバック調整方法を示す図であって、第２レンズ群Ｌ２を、ロックリング２６によって締結する状態を示す図である。
このとき、ロックリング２６の光軸Ｉに沿った方向における対物側の端面には、工具が光軸Ｉに沿った方向に押圧されるとともに、この工具によって光軸Ｉ回りにロックリング２６を回転させる負荷が加わる。
上述した光軸Ｉ方向の押圧力が第２レンズ室２３を有する摺動筒２１に負荷が加わると、スプリング２５が縮められることによって、摺動筒２１は、光軸Ｉに沿って像側へ移動し、通常のズーム動作による光軸Ｉに沿った方向の摺動筒２１の移動範囲であるズーム範囲Ｚ３の最も像側の位置よりも、さらに像側へ移動する。
そして、摺動筒２１が像側へ移動し、その開口端部の一部が、第２群フォロワピン２４の、摺動筒保持筒２２の内径側に突き出した端部（移動制限部）に当接することによって、摺動筒２１の光軸Ｉに沿った方向の移動は制限される。なお、このときの摺動筒２１の位置が、第２レンズ枠２０の第２レンズ室２３への締結作業を行う位置であるレンズ枠固定位置Ｐ２となる。
なお、図１において、ズーム範囲Ｚ３及びレンズ枠固定位置Ｐ２は、それぞれ摺動筒２１の後端部を基準として図示している。
そして、第２レンズ群Ｌ２の固定後、第１レンズ群Ｌ１を保持する第１レンズ枠１０を、第１レンズ群１１にネジ結合することによって、第１レンズ群Ｌ１及び第２レンズ群Ｌ２のフランジバック調整が終了する。なお、第１レンズ群Ｌ１は、最も対物側に配置されていることから、これを締結する際は、外部から工具又は作業者の手等によって第１レンズ室１１の外周面部を固定した状態で作業することができる。
【００３７】
以上のように、実施例１によれば、第２レンズ室２３を有する摺動筒２１は、通常のズーム範囲から離間したレンズ枠固定位置にあるときに、ロックリング２６の締結が行われるから、この締結に伴う負荷によってズームを行うカム機構等に影響が及ぶことを防止できる。また、レンズ枠固定位置において、摺動筒２１は、その光軸Ｉに沿った方向の移動が制限されているから、工具による作業性が向上するとともに、シャッタ部６への衝突によるシャッタ幕の損傷等を防止することができる。
なお、ロックリング２６の締結時には、その光軸Ｉに沿った方向の押圧力によって、第２群フォロワピン２４を介してカム筒３のカム溝３ｂに負荷が加わることになるが、このとき第２群フォロワピン２４は、その先端部が、カム溝３ｂのうち、通常のズーム操作時には使用されないフランジバック調整用位置Ｐ１内に配置されているから、万一この部分のカム溝３ｂに影響が出たとしても、通常のズーム時の精度等には影響を与えない効果がある。
【実施例２】
【００３８】
次に、本発明を適用したレンズ鏡筒の実施例２について説明する。
なお、以下説明する各実施例において、上述した実施例１と同様の部分については、同じ符号を付して説明を省略し、主に相違点について説明する。
【００３９】
図７は、実施例２のレンズ鏡筒の断面図である。
実施例２においては、摺動筒２１の外周面に、その外径が対物側から像側にかけて連続的に小さくなるテーパ面２１ａを形成するとともに、摺動筒保持筒２２の内周面に、摺動筒２１のテーパ面と同様の勾配を有し、その内径が対物側から像側にかけて連続的に小さくなるテーパ面２２ａを形成している。
そして、第２レンズ群Ｌ２のフランジバックを調整する際、ロックリング２６を締結すると、摺動筒２１が像側に移動し、そのテーパ面２１ａと、摺動筒保持筒２２のテーパ面２２ａとが接することによって、その移動が制限される。このときの摺動筒２１の位置が、レンズ枠固定位置Ｐ２となる。
実施例２によれば、上述した実施例１の効果に加え、カム溝及びフォロワピンに負荷がかからないので、これらの精度を維持できる効果がある。
【実施例３】
【００４０】
図８は、本発明を適用したレンズ鏡筒の実施例３の断面図である。
実施例３においては、摺動筒２１が光軸Ｉに沿って像側に移動したときに、その像側の端部が、摺動筒４に形成され、摺動筒２１の端部と対向して配置された摺動筒受け部４ａと接することによって摺動筒２１の移動が制限されるようになっている。
実施例３においても、実施例１及び実施例２と同様の効果を奏することができる。
【実施例４】
【００４１】
図９は、本発明を適用したレンズ鏡筒の実施例４の断面図である。
実施例４においては、第２群フォロワピン２４は、摺動筒保持筒２２の外径側にのみ突き出し、その内径側には突き出していないため、摺動筒２１の光軸Ｉに沿った方向の移動を制限する機能はもたないが、第１群フォロワピン１２が直進筒４の内径側に突き出した長さを上述した実施例１よりも長くすることによって、摺動筒２１が光軸Ｉに沿って像側に移動したときに、その像側の端部が第１群フォロワピン１２と接することによって、その移動が制限されるようになっている。
実施例４においても、上述した実施例１と同様の効果を奏することができる。
【００４２】
（変形例）
本発明は、以上説明した実施例に限定されることなく、種々の変形や変更が可能であって、それらも本発明の均等の範囲内である。
（１）上述した各実施例は、レンズ固定式のデジタルスチルカメラに係るものであるが、本発明はこれに限らず、例えば、レンズ交換式カメラや、フィルムカメラ、ムービーカメラ等にも適用することができ、また、これらのカメラは、例えば携帯電話機等のカメラ以外の機器に内蔵されているものも含む。
（２）上述した各実施例は、第２レンズ群のフランジバック調整に係るものであるが、本発明は特定のレンズ群のフランジバックを調整するものに限定されず、他のレンズ群の調整にも適用することができる。
【図面の簡単な説明】
【００４３】
【図１】本発明を適用したレンズ鏡筒の実施例１の沈胴時における状態を示す断面図である。
【図２】図１のレンズ鏡筒の使用時の状態を示す断面図である。
【図３】図１のレンズ鏡筒のカム筒の内面の展開図である。
【図４】図１のレンズ鏡筒のフランジバック調整方法を示す図であって、第１レンズ群及び第２レンズ群を取り付ける前の状態を示す図である。
【図５】図１のレンズ鏡筒のフランジバック調整方法を示す図であって、第２レンズ群を取り付けた状態を示す図である。
【図６】図１のレンズ鏡筒のフランジバック調整方法を示す図であって、第２レンズ群を固定するロックリングを締結する際の状態を示す図である。
【図７】本発明を適用したレンズ鏡筒の実施例２の断面図である。
【図８】本発明を適用したレンズ鏡筒の実施例３の断面図である。
【図９】本発明を適用したレンズ鏡筒の実施例４の断面図である。
【符号の説明】
【００４４】
１    レンズ鏡筒
２    外筒
３    カム筒
４    直進筒
５    固定板
６    シャッタ部
６ａ  ビス
１０    第１レンズ枠
１１    第１レンズ室
１２    第１群フォロワピン
１３    調整ワッシャ
２０    第２レンズ枠
２１    摺動筒室
２２    摺動筒保持筒
２３    第２レンズ
２４    第２群フォロワピン
２５    スプリング
２６    ロックリング
２７    調整ワッシャ
４０    第４レンズ枠
１００    撮像素子部
Ｌ１    第１レンズ群
Ｌ２    第２レンズ群
Ｌ３    第３レンズ群
Ｌ４    第４レンズ群
Ｚ１    ズーム域
Ｚ２    ズーム域
Ｚ３    ズーム範囲
Ｐ１    フランジバック調整位置
Ｐ２    レンズ枠固定位置
【図１】
2006126366.tif 000003
【図２】
2006126366.tif 000004
【図３】
2006126366.tif 000005
【図４】
2006126366.tif 000006
【図５】
2006126366.tif 000007
【図６】
2006126366.tif 000008
【図７】
2006126366.tif 000009
【図８】
2006126366.tif 000010
【図９】
2006126366.tif 000011